(57)【要約】      （修正有）【課題】仕上がりが美しく、誰にでも手軽に郵送可能な押花カードを作成することができる押花カードセット及び押花カードの作成方法を提供する。【解決手段】一面粘着性の台紙と、台紙の粘着面に貼着させた剥離紙と、予め作成した押花体と、台紙の粘着面に付着する着色粉体と、着色粉体を粘着面に付着させるための擦り体と、台紙を封入する透明の郵送袋体との組み合わせよりなり、剥離紙を剥離した台紙の粘着面に押花体を貼着した後、台紙の粘着面に擦り体を用いて着色粉体を擦り付け、その後、剥離紙の剥離反対面に郵送先を表記し、剥離紙の郵送先表記面と台紙の押花貼着面とが互いに両側面を向くようにして透明の郵送袋体中に封入し、この郵送袋体に郵便切手を貼着することにより、郵送可能な押花カードを作成することができる押花カードセット。【選択図】図１
2006205698.tif 000002
【特許請求の範囲】
【請求項１】
ハガキサイズの一面粘着性の台紙と、同台紙の粘着面に貼着させた剥離紙と、予め作成した押花体と、台紙の粘着面に付着する着色粉体と、着色粉体を粘着面に付着させるために使用する擦り体と、台紙を封入する透明の郵送袋体との組み合わせよりなる郵送可能な押花カードセット。
【請求項２】
ハガキサイズの一面粘着性の台紙から剥離紙を剥離し、台紙の粘着面に予め作成した押花体を貼着し、その後、台紙の粘着面に着色粉体を擦り体を用いて満遍なく擦り付け、押花体の外周面に所定色彩の着色粉体よりなる背景色彩を付すると共に、台紙から剥離した剥離紙の剥離反対面に郵送先を表記し、表記ずみの剥離紙と押花貼着の台紙とを郵送先表記面と押花貼着面とが互いに両側面を向くようにして透明の郵送袋体中に封入し、透明袋体の所定位置に郵便切手を貼着することにより、郵送可能な状態とすることを特徴とする郵送可能な押花カードの作成方法。
【発明の詳細な説明】
【技術分野】
【０００１】
本発明は、郵送可能な押花カードセット及び押花カードの作成方法に関するものである。
【背景技術】
【０００２】
従来より、カード状の台紙の上に乾燥した押花を配置した後、この台紙と押花とを熱溶着性を有する合成樹脂フィルムで被覆し、その後、この合成樹脂製フィルムを押圧しながら加熱することによりラミネート加工を施した押花カードが広く知られている（たとえば、特許文献１参照。）。
【特許文献１】特開平１１−２６９００１号公報
【発明の開示】
【発明が解決しようとする課題】
【０００３】
ところが、上記従来の押花カードは、ラミネート加工を施すために、合成樹脂製のフィルムで被覆した台紙を両面から押圧しながら加熱するラミネート加工専用の装置が必要であったため、手軽に低コストで押花カードを作成することができなかった。
【０００４】
また、家庭用のアイロンによりラミネート加工を施すことも可能ではあるが、アイロンを用いてラミネート加工を施す場合、アイロンによる押圧の仕方によっては合成樹脂製フィルムにしわが生じるおそれがあるだけでなく、誤ってアイロンに触れて火傷をするおそれもあったため、子供や初めて押花カードを作成する人などにとっては手軽に押花カードの作成を楽しむことができなかった。
【０００５】
さらに、この種の押花カードは、表面が合成樹脂製フィルムによって被覆されていたため押花カードの表面にメッセージを書き込むことが困難であった。
【０００６】
そのため、この押花カードを絵ハガキに用いる際には、押花カードを合成樹脂製フィルムごと所定の大きさに切断して、ハガキの裏面に貼着しなければならず、その作業が煩雑となるだけでなく、手作り感や美観を損なうおそれがあった。
【課題を解決するための手段】
【０００７】
そこで、請求項１に係る本発明では、ハガキサイズの一面粘着性の台紙と、同台紙の粘着面に貼着させた剥離紙と、予め作成した押花体と、台紙の粘着面に付着する着色粉体と、着色粉体を粘着面に付着させるために使用する擦り体と、台紙を封入する透明の郵送袋体との組み合わせよりなる郵送可能な押花カードセットを提供することとした。
【０００８】
また、請求項２に係る本発明では、ハガキサイズの一面粘着性の台紙から剥離紙を剥離し、台紙の粘着面に予め作成した押花体を貼着し、その後、台紙の粘着面に着色粉体を擦り体を用いて満遍なく擦り付け、押花体の外周面に所定色彩の着色粉体よりなる背景色彩を付すると共に、台紙から剥離した剥離紙の剥離反対面に郵送先を表記し、表記ずみの剥離紙と押花貼着の台紙とを郵送先表記面と押花貼着面とが互いに両側面を向くようにして透明の郵送袋体中に封入し、透明袋体の所定位置に郵便切手を貼着することにより、郵送可能な状態とした押花カードを作成することとした。
【発明の効果】
【０００９】
本発明では、以下に記載するような効果を奏する。
【００１０】
請求項１に係る本発明では、ハガキサイズの一面粘着性の台紙と、同台紙の粘着面に貼着させた剥離紙と、予め作成した押花体と、台紙の粘着面に付着する着色粉体と、着色粉体を粘着面に付着させるために使用する擦り体と、台紙を封入する透明の郵送袋体との組み合わせよりなる郵送可能な押花カードセットを提供することとしたため、従来の絵ハガキのように、ラミネート加工された押花体を絵ハガキのデザインとして貼着するような不自然さがなく、手作り感のある自然な仕上がりでありながら、押花体の背景色彩まで自由にアレンジでき、誰にでも手軽に郵送可能な押花カードを作成することができるようになる。
【００１１】
また、請求項２に係る本発明では、ハガキサイズの一面粘着性の台紙から剥離紙を剥離し、台紙の粘着面に予め作成した押花体を貼着し、その後、台紙の粘着面に着色粉体を擦り体を用いて満遍なく擦り付け、押花体の外周面に所定色彩の着色粉体よりなる背景色彩を付すると共に、台紙から剥離した剥離紙の剥離反対面に郵送先を表記し、表記ずみの剥離紙と押花貼着の台紙とを郵送先表記面と押花貼着面とが互いに両側面を向くようにして透明の郵送袋体中に封入し、透明袋体の所定位置に郵便切手を貼着することにより、郵送可能な状態とした押花カードを作成することとしたため、特別な道具や装置を用いることなく、仕上がりが美しく、さらに、押花貼着面に自由にメッセージを書き込むことができ、しかも、絵葉書のように郵送可能な押花カードを作成することができる。
【発明を実施するための最良の形態】
【００１２】
以下、本発明に係る押花カードセット及び押花カードの作成方法の実施形態について図面を参照して具体的に説明する。
【００１３】
本実施形態に係る押花カードセットは、図１に示すように、押花カード１の裏面２側に、誰でも簡単に押花のデザイン３を作成することができ、表面側４に郵送先を記載すると共に、郵便切手５を貼着するだけで容易に郵送可能な状態となる押花カード１を作成するためのセットである。
【００１４】
この押花カードセットは、図２に示すように、ハガキサイズの台紙本体６と、台紙本体６を封入可能な郵送袋体７と、予め作成しておいた押花体８と、白色の着色粉体９aと、所定の色に着色された着色粉体９bと、厚板スポンジ状の擦り体１０とにより構成している。
【００１５】
台紙本体６は、その一面が粘着性を有する台紙１１と、この台紙１１の粘着面１２に貼着させた剥離紙１３とから構成している。
【００１６】
特に、この剥離紙１３の台紙１１と当接しない側の面は、一般に使用される筆記用具により筆記が可能な材質により構成している。
【００１７】
郵送袋体７は、台紙本体６よりも面積がやや広い略長方形状の便箋であり、セロハンのような透明硬質フィルムや延伸ポリプロピレンのような透明硬質フィルムなどの内部が透視可能な材料により形成するようにしている。
【００１８】
また、この郵送袋体の四隅のうちの一箇所には、郵便切手の貼付位置を規制するための位置決め枠１４を設けることもできる。
【００１９】
押花体８は、予め色彩豊かな草花を押圧乾燥させることにより作成した複数種類の押花により構成している。
【００２０】
そして、この押花体８は、市販の乾燥剤（図示略。）と共に、ファスナー１５を備えた、透湿度の低い透明気密袋１９に封入されている。
【００２１】
白色の着色粉体９aは、タルクを粉末状にした微粉末であり、所定の色に着色された着色粉体９bは、赤、緑、黄など、任意の色の顔料パウダーと白色の粉体９aとを混合した微粉末である。
【００２２】
そして、これら白色の着色粉体９aと、所定の色に着色された着色粉体９bとは、透明袋体１６に、それぞれ個別に封入されている。
【００２３】
なお、本実施形態に係る押花カードセットでは、説明を簡単にするために、所定の色に着色された着色粉体９bを１種類だけ設けるようにしているが、本発明はこれに限ることなく、異なる色彩の着色粉体９bを複数種類設けることもできる。
【００２４】
擦り体１０は、ウレタン製の比較的きめが細かいスポンジ状の厚板体である。
【００２５】
なお、擦り体１０としては、このウレタン製の厚板体に限定するものではなく、刷毛や筆など、台紙１１の粘着面１２に白色の着色粉体９aと所定の色に着色された着色粉体９bとを付着させることができる物であれば任意のもので代用することができる。
【００２６】
以下、これらの物から構成した押花カードセットを用いて押花カード１を作成する方法について、図３及び図４を参照して具体的に説明する。
【００２７】
まず、図３（a）に示すように、台紙本体６から剥離紙１３を剥離する。
【００２８】
次に、図３(b)に示すように、台紙１１の粘着面１２にピンセット１７を用いて押花体８を一つずつ貼着させていき、所望する押花のデザイン３を作成する。
【００２９】
このとき、一旦粘着面１２に貼着させた押花体８は剥離しにくいので、押花のデザイン３の作成を失敗しないためには、予めテーブルなどの平坦な所で、押花体８を実際に配置しながら、作成したい押花のデザイン３の構想を練っておくことが望ましい。
【００３０】
また、押花体８を台紙１１の粘着面１２に貼着する際、後でメッセージを書くときには、その分の余白を空けておく。
【００３１】
その後、押花体８を貼着した台紙１１の粘着面１２に、剥離紙１３の剥離面を当接させ、剥離紙１３の上面をばれん（図示略。）などを用いて擦ることにより、押花体８を粘着面１２に確実に貼着させた後、再度台紙１１から剥離紙１３を剥離させる。
【００３２】
このとき、台紙１１上で押花体８を貼着していない部分は、依然粘着性を有している状態となっている。
【００３３】
次に、図３（c）に示すように、擦り体１０を用いて、台紙１１の粘着面１２全体に満遍なく白色の着色粉体９aを擦り付ける。
【００３４】
これにより、白色の着色粉体９aは、押花体８が貼着されている部分以外の粘着面１２に貼着されるため、粘着面１２の粘着性を消滅させることができると共に、台紙１１上で押花体８を貼着していない余白の部分が筆記可能な状態とすることができる。
【００３５】
その後、擦り体１０を用いて押花体８の背景となる押花体８の外周面近傍の部分になど、台紙１１上の任意の領域に、所定の色に着色された着色粉体９bを擦り付けることによって、押花体８の背景に彩りを添えるようにする。
【００３６】
次に、台紙１１の粘着面１２上で、押花体８を貼着していない余白の部分にメッセージを書き込む。
【００３７】
次に、図３（d）に示すように、先程台紙１１から剥離した剥離紙１３の剥離面とは反対の面（以下、「郵送先表記面」という。）に、郵便番号、宛名、郵送先の住所などの郵送先を表記する。
【００３８】
このように、押花のデザイン３を台紙１１側に作成し、郵送先を剥離紙１３側に表記するようにしているため、立体的な押花体８を用いて押花のデザイン３を作成した場合であっても、郵送先を記載する際は、常に平坦な剥離紙１３の郵送先表記面に書くことができる。
【００３９】
次に、図４（a）に示すように、台紙１１の押花体８を貼着した面と、剥離紙１３の剥離面とを当接させた状態で郵送袋体７に挿入する。
【００４０】
次に、図４（b）に示すように、剥離紙１３だけを郵送袋体７から取り出す。
【００４１】
次に、図４（c）に示すように、剥離紙１３を、剥離紙１３の剥離面と、台紙１１の押花体８を貼着していない面とが当接するように、すなわち、剥離紙１３の郵送先表記面と台紙１１の押花貼着面とが互いに両側面を向くようにして郵送袋体７中に挿入し、その後、郵送袋体７の開口部を封止する。
【００４２】
最後に、図１に示すように、郵送袋体７の所定位置に設けた位置決め枠１４に合わせて郵便切手５を貼付することにより郵送可能な状態とした押花カードが完成する。
【００４３】
以上のように、本発明に係る押花カードセットを用いれば、ラミネート加工専用の装置やアイロンを用いることなく、誰にでも簡単に、かつ、比較的低コストで郵送可能な押花カード１を作成することができる。
【００４４】
また、上記した方法により押花カード１を作成するため、台紙１１に貼着した押花体８の背景色や背景のデザインを自由にアレンジすることができ、出来上がりの色調が美しい押花カード１を作成することができる。
【００４５】
さらに、台紙１１上で、押花体８を貼着していない余白部分には、自由にメッセージなど書き込むことができ、また、郵送袋体７に郵送先を表記した剥離紙１３を押花体８を貼着した台紙１１と共に封入し、その郵送袋体７の所定位置に郵便切手５を貼着するだけで簡単に郵送できる状態にすることができる。
【００４６】
これにより、手作り感あふれる自作の押花カード１を絵葉書として郵送することができるため、押花カード１作りの楽しさを多くの人に知らしめることができる。
【００４７】
また、本実施形態では、説明を簡単に行うために、台紙本体６と、郵送袋体７と、押花体８と、白色の着色粉体９aと、所定の色に着色された着色粉体９bと、擦り体１０とが各１つずつまとめられたものを押花カードセットとして説明しているが、例えば、台紙本体６が１０枚、郵送袋体７が１０枚、擦り体１０が５個、押花体８と白色の着色粉体９aと所定の色に着色された着色粉体９bとが各１袋とし、これらによって押花カードセットを構成してもよい。
【００４８】
このように押花カードセットを構成した場合は、押花カード１を１０枚作成可能なだけの押花体８を透明気密袋１９に封入しておく必要があり、押花体８を比較的長期間保管しておかなければならない。
【００４９】
このように、押花体８を比較的長期間保管する際には、図５〜図７に示す押花ホルダー１８を用いることが望ましい。
【００５０】
この押花ホルダー１８は、図５〜図７に示すように、２枚の略長方形の厚紙を重ね、上下の厚紙の相交わる２辺同士を接着させて形成しており、この上下の厚紙の間に押花体８を挟んで収納するものである。
【００５１】
また、重ね合わせた２枚の厚紙のうちの一方には、収納した押花体８を外部から視認できるように、複数のスリット状の窓を設けている。
【００５２】
そして、押花体８をその種類ごとに異なる押花ホルダー１８に収納した後、この押花ホルダー１８を複数枚立てた状態で保管できる気密性の高い箱体に、市販の乾燥剤と共に収納しておくとよい。
【００５３】
こうすることによって、種類に応じて押花体８を分別できるだけでなく、直射日光や湿気により押花体８の色彩が劣化することを防止して、比較的長期間押花体８を保管することができる。
【図面の簡単な説明】
【００５４】
【図１】押花カードの完成図である。
【図２】押花カードセットを示す説明図である。
【図３】押花カードの作成工程を示す説明図である。
【図４】押花カードの作成工程を示す説明図である。
【図５】押花ホルダーを示す斜視図である。
【図６】押花ホルダーを示す平面図及び側面図である。
【図７】押花ホルダーを示す部分拡大図である。
【符号の説明】
【００５５】
１  押花カード
２  押花カードの裏面
３  押花のデザイン
４  押花カードの表面
５  郵便切手
６  台紙本体
７  郵送袋体
８  押花体
９a  白色の着色粉体
９b  所定の色に着色された着色粉体
１０  擦り体
１１  台紙
１２  粘着面
１３  剥離紙
１４  位置決め枠
１５  ファスナー
１６  透明袋体
１７  ピンセット
１８  押花ホルダー
１９  透明気密袋
【図１】
2006205698.tif 000003
【図２】
2006205698.tif 000004
【図３】
2006205698.tif 000005
【図４】
2006205698.tif 000006
【図５】
2006205698.tif 000007
【図６】
2006205698.tif 000008
【図７】
2006205698.tif 000009